(57)【要約】【課題】  免震装置対応箇所の建築体側乗場と昇降路側乗場装置の間の乗降通路の構造部材に、地震変位によって過大負荷等が作用しない免震建物用エレベーター装置を得る。【解決手段】  地震発生時に免震建築体３が基部建築体１に対して水平方向に変位し、かご用案内レール５等が弾性変形して傾斜する。そして、下側レール保持枠１１等が水平方向に変位するが、昇降路側乗場装置１４と建築体側乗場９との間に乗降通路を構成する部材が屈曲等の変形を伴うことなく変位して対応する。  すなわち、昇降路側乗場装置１４、昇降路側可動床面板３３、建築体側可動床面板３４、可動天井面板３７及び乗場出入口側板４４が屈曲等の変形を伴わず変位する。このため、地震時に乗降通路関連部材に過大な負荷が作用せず簡易化できて製作費を節減する。【選択図】        図３
2005298133.tif 000002
【特許請求の範囲】
【請求項１】
基部建築体の上に免震装置を介して支持されて地震時に上記基部建築体に対して水平方向に相対変位する免震建築体、
上記基部建築体及び免震建築体のそれぞれに設けられて互いに縦貫して配置されたエレベーターの昇降路と、
この昇降路に互いに離れて平行に立設されて上記エレベーターのかごの昇降を案内し、地震時に上記免震装置対応箇所において弾性変形して傾斜するかご用案内レール及び上記昇降路に互いに離れて平行に立設されて上記エレベーターのつり合おもりの昇降を案内し、地震時に上記免震装置対応箇所において弾性変形して傾斜するつり合おもり用案内レールと、
水平投影面においてロ字状をなし上記免震装置対応箇所に設けられて、内側にそれぞれ締結された上記かご用案内レール及びつり合おもり用案内レールを水平方向においてそれぞれ所定位置に保持し、上記免震装置に近接した位置において上記昇降路に設けられた建築体側乗場の床対向位置に配置された下側レール保持枠及び上記建築体側乗場の天井対向位置に配置された上側レール保持枠と、
上記下側レール保持枠及び上側レール保持枠の保持枠部材の間に設けられて上記建築体側乗場に対向して配置され、上記昇降路側の乗場出入口が設けられた乗場枠及び乗場の戸装置が設けられて、下縁部が上記下側レール保持枠に水平枢着軸線を介して枢着され上縁部は上記上側レール保持枠に水平枢着軸線、上下方向摺動機構及び水平方向摺動機構を介して係合された昇降路側乗場装置と、
この昇降路側乗場装置の下縁部に水平枢着軸線を介して枢着されて上記建築体側乗場の床面に重合して配置された昇降路側可動床面板と、
複数枚の板体が縁部を相互に重合して並列に配置され、かつ連動機構によって互いに係合されて上記昇降路の奥行き方向に伸縮自在に構成され、一側が上記昇降路側乗場装置の上縁部に水平枢着軸線を介して枢着され、他側は上記建築体側乗場の天井部に水平枢着軸線を介して係合された可動天井面板と、
複数枚の板体が縁部を相互に重合して並列に配置され、かつ連動機構によって互いに係合されて上記昇降路の奥行き方向に伸縮自在に構成され、一側が上記昇降路側乗場装置の乗場出入口の側縁部に鉛直枢着軸線を介して枢着され、他側は上記建築体側乗場の開口部の側縁部に鉛直枢着軸線を介して枢着された乗場出入口側板と、
上記建築体側乗場の床の要部を構成し反上記昇降路側の縁部が水平枢着軸線を介して上記建築体側乗場の床に枢着され、上記昇降路側の縁部は上記昇降路側可動床面板と重合して配置された建築体側可動床面板とを備えた免震建物用エレベーター装置。
【発明の詳細な説明】
【技術分野】
【０００１】
この発明は、基部建築体に免震装置を介して免震建築体が支持され、また基部建築体及び免震建築体に形成された昇降路に案内レールが縦通して立設されて、地震時に免震装置対応箇所において案内レールが弾性変形して傾斜する免震建物用エレベーター装置に関する。
【背景技術】
【０００２】
従来の免震建物用エレベーター装置においては、基部建築体の上に免震装置を介して支持され、地震時に基部建築体に対して水平方向に相対変位する免震建築体が設けられる。そして、基部建築体及び免震建築体のそれぞれに設けられて互いに縦貫して配置されたエレベーターの昇降路が形成される。また、昇降路に互いに離れて平行に立設されてエレベーターのかごの昇降を案内するかご用案内レール及びエレベーターのつり合おもりの昇降を案内するつり合おもり用案内レールが縦通して設けられる。
【０００３】
なお、かご用案内レール及びつり合おもり用案内レールは、地震時に免震建築体が基部建築体に対して水平方向に相対変位するので、これに伴って免震装置対応箇所において弾性変形して傾斜する。
また、ロ字状をなすレール保持枠がかご用案内レール及びつり合おもり用案内レールを囲んで設けられて、かご用案内レール等がそれぞれ内側に締結されて、かご用案内レール等を水平方向においてそれぞれ所定位置に保持する。
【０００４】
そして、レール保持枠は昇降路における免震装置対応箇所に配置されて、免震装置に近接した位置において昇降路に設けられた建築体側乗場の床及び天井対向位置にそれぞれ配置される。また、これら上下のレール保持枠の相互間に昇降路側乗場装置が設けられて建築体側乗場に対向して配置され、建築体側乗場と昇降路側乗場装置の間に可動式乗降通路が設けられる。
【０００５】
従来の免震建物用エレベーター装置は上記のように構成され、地震時に基部建築体に対して免震装置の機能によって免震建築体が水平方向に相対変位する。このため、かご用案内レール等が免震装置対応箇所において地震時に弾性変形して傾斜する。そして、地震時に傾斜するかご用案内レール等を、レール保持枠によってそれぞれ水平方向におけるそれぞれの所定位置に保持するように構成されている。（例えば、特許文献１参照）。
【０００６】
【特許文献１】特開平１１−２０９０１８号公報（要約、図２）
【発明の開示】
【発明が解決しようとする課題】
【０００７】
従来の免震建物用エレベーター装置では、かご用案内レール及びつり合おもり用案内レールがそれぞれレール保持枠に固定的に締結され、また、上側レール保持枠のかご用案内レール締結部と下側レール保持枠の反かご用案内レール側の端部との間に斜め控えが設けられる。これによって、上下のレール保持枠、かご用案内レール等によって枠組み構造体が構成される。
【０００８】
そして、地震時にレール保持枠等によって構成されて、昇降路の免震装置対応箇所に形成された枠組み構造体が傾斜する。なお、地震時における枠組み構造体の傾斜角は、地震による基部建築体と免震建築体との水平方向に相対変位量と、上下のレール保持枠の相互間隔によって決まる。また、地震時にレール保持枠がかご用案内レール等の傾斜に従って水平面に対して傾斜し上下方向に変位する。
【０００９】
このため、地震時におけるレール保持枠の傾斜、上下変位によって、建築体側乗場と昇降路側乗場装置の間に設けられる可動式乗降通路に過大な負荷が作用したり、モーメントが発生したりする。このため、可動式乗降通路の構造部材において地震時のレール保持枠の傾斜等に追随した変位動作が不円滑になり、また可動式乗降通路の構造部材に変形が発生する恐れがあるという問題点があった。
【００１０】
この発明は、かかる問題点を解消するためになされたものであり、昇降路の免震装置対応箇所に配置された建築体側乗場と昇降路側乗場装置の間に設けられた可動式乗降通路の構成部材に対して、地震時におけるレール保持枠の変位による過大負荷、モーメントが作用しない免震建物用エレベーター装置を得ることを目的とする。
【課題を解決するための手段】
【００１１】
この発明に係る免震建物用エレベーター装置においては、基部建築体の上に免震装置を介して支持されて地震時に基部建築体に対して水平方向に相対変位する免震建築体、基部建築体及び免震建築体のそれぞれに設けられて互いに縦貫して配置されたエレベーターの昇降路と、この昇降路に互いに離れて平行に立設されてエレベーターのかごの昇降を案内し、地震時に免震装置対応箇所において弾性変形して傾斜するかご用案内レール及び昇降路に互いに離れて平行に立設されてエレベーターのつり合おもりの昇降を案内し、地震時に免震装置対応箇所において弾性変形して傾斜するつり合おもり用案内レールと、水平投影面においてロ字状をなし免震装置対応箇所に設けられて、内側にそれぞれ締結されたかご用案内レール及びつり合おもり用案内レールを水平方向においてそれぞれ所定位置に保持し、免震装置に近接した位置において昇降路に設けられた建築体側乗場の床対向位置に配置された下側レール保持枠及び建築体側乗場の天井対向位置に配置された上側レール保持枠と、下側レール保持枠及び上側レール保持枠の保持枠部材の間に設けられて建築体側乗場に対向して配置され、昇降路側の乗場出入口が設けられた乗場枠及び乗場の戸装置が設けられて、下縁部が下側レール保持枠に水平枢着軸線を介して枢着され上縁部は上側レール保持枠に水平枢着軸線、上下方向摺動機構及び水平方向摺動機構を介して係合された昇降路側乗場装置と、この昇降路側乗場装置の下縁部に水平枢着軸線を介して枢着されて建築体側乗場の床面に重合して配置された昇降路側可動床面板と、複数枚の板体が縁部を相互に重合して並列に配置され、かつ連動機構によって互いに係合されて昇降路の奥行き方向に伸縮自在に構成され、一側が昇降路側乗場装置の上縁部に水平枢着軸線を介して枢着され、他側は建築体側乗場の天井部に水平枢着軸線を介して係合された可動天井面板と、複数枚の板体が縁部を相互に重合して並列に配置され、かつ連動機構によって互いに係合されて昇降路の奥行き方向に伸縮自在に構成され、一側が昇降路側乗場装置の乗場出入口の側縁部に鉛直枢着軸線を介して枢着され、他側は建築体側乗場の開口部の側縁部に鉛直枢着軸線を介して枢着された乗場出入口側板と、建築体側乗場の床の要部を構成し反昇降路側の縁部が水平枢着軸線を介して建築体側乗場の床に枢着され、昇降路側の縁部は昇降路側可動床面板と重合して配置された建築体側可動床面板とが設けられる。
【発明の効果】
【００１２】
この発明による免震建物用エレベーター装置は、地震の発生時に免震装置の機能によって免震建築体が基部建築体に対して揺動し水平方向に相対変位する。このときに、かご用案内レール及びつり合おもり用案内レールが揺動し弾性変形して傾斜し、下側レール保持枠及び上側レール保持枠の双者はそれぞれ水平方向に変位する。そして、地震の発生時の上記双者に変位に対して、昇降路側乗場装置と建築体側出入口枠との間に乗降通路を構成する部材が屈曲等の変形を伴うことなく変位して対応する。
【００１３】
すなわち、昇降路側乗場装置、昇降路側可動床面板、建築体側可動床面板、可動天井面板及び両側の乗場出入口側板が、屈曲等の変形を伴うことなく変位して対応する。したがって、地震の発生時に昇降路側乗場装置等の関連部材に過大な負荷が作用したり、モーメントが発生したりすることがなく、昇降路側乗場装置等の乗降通路関連部材の構造を簡易化し、また軽薄化することができて製作費を節減する効果がある。
【発明を実施するための最良の形態】
【００１４】
実施の形態１．
図１〜図１１は、この発明の実施の形態を示す図で、図１は免震建物用エレベーター装置を概念的に示す縦断面図、図２は図１の建築体側乗場の正面図、図３は図１のＡ部拡大図、図４は図３のＢ部拡大図、図５は図３における昇降路側乗場装置の右側面図、図６は図３のＣ−Ｃ線断面図、図７は図３の要部平面図、図８は図３においてレール保持枠が昇降路の奥行き方向に変位した状態を示す図、図９は図８の平面図、図１０は図５においてレール保持枠が昇降路の間口方向に変位した状態を示す図、図１１は図１０に対応する図６相当図である。
【００１５】
図において、大地に建設された基部建築体１の上に免震装置２を介して免震建築体３が支持されて地震時に免震装置２の機能によって基部建築体１に対して免震建築体３が水平方向に相対変位する。そして、基部建築体１及び免震建築体３のそれぞれに昇降路４が設けられて互いに縦貫して配置される。また、かご用案内レール５が昇降路４に互いに水平方向に離れて平行に縦貫して立設されてエレベーターのかご６の昇降を案内する。
【００１６】
また、つり合おもり用案内レール７が昇降路４に互いに水平方向に離れて平行に縦貫して立設されてエレベーターのつり合おもり８の昇降を案内する。そして、基部建築体１及び免震建築体３のそれぞれに昇降路４に開口した建築体側乗場９が設けられる。また、免震装置２に近接した位置における昇降路４に設けられた建築体側乗場９よりも上方及び下方の昇降路４では、かご用案内レール５及びつり合おもり用案内レール７がブラケット１０によって昇降路４に支持される。
【００１７】
また、水平投影面においてロ字状をなす下側レール保持枠１１が、免震装置２対応箇所に設けられて免震装置２に近接した位置において昇降路４に設けられた建築体側乗場９における床面対向位置に配置される。また、水平投影面においてロ字状をなす上側レール保持枠１２が、免震装置２対応箇所に設けられて免震装置２に近接した位置において昇降路４に設けられた建築体側乗場９における天井面対向位置に配置される。
【００１８】
そして、免震装置２に近接した建築体側乗場９対応箇所において下側レール保持枠１１及び上側レール保持枠１２のレール保持枠の内側に、かご用案内レール５及びつり合おもり用案内レール７が締結されて、水平方向に対してそれぞれ所定位置に保持される。また、上側レール保持枠１２のかご用案内レール５締結部と下側レール保持枠１１の反かご用案内レール５側の端部との間に斜め控え１３が設けられる。
【００１９】
また、下側レール保持枠１１及び上側レール保持枠１２の間に建築体側乗場９に対向して、次に述べる昇降路側乗場装置１４が設けられる。すなわち、下側レール保持枠１１に敷居１５が装備されて長手が昇降路４の間口方向に沿って配置され長手方向には変位不能に装着され、また長手が水平に配置されて水平枢着軸線を形成する下側ピン１６によって枢着される。そして、敷居１５に昇降路４側乗場出入口１７が設けられた乗場枠１８が立設される。なお、図５、図８に示すＪは乗場出入口１７の幅寸法である。
【００２０】
そして、乗場枠１８の上縁部にハンガーケース１９が装着されて、ハンガーケース１９に装着された戸のレールに乗場の戸２０が吊設され、乗場の戸２０の動作によって乗場口１７が開閉される。また、ハンガーケース１９の上側にハンガーケース１９の長手に沿って桁部材２１が配置され、桁部材２１に案内棒２２が立設されて長手が鉛直方向に配置される。
【００２１】
そして、ハンガーケース１９の上面に立設された取付金具２３に、案内棒２２に空隙を形成して嵌合されて、上下方向摺動機構を形成する摺動片２４が設けられる。また、桁部材２１の上面に水平方向摺動機構を形成する摺動体２５が設けられて昇降路４の奥行き方向における両面に係合溝が凹設される。そして、摺動体２５の上側に枢動片２６が配置され、下面に溝状凹所が設けられてこの溝状凹所の開口部に突出部が形成され、この突出部が摺動体２５の係合溝に空隙を形成して嵌合される。
【００２２】
また、上側レール保持枠１２の建築体側乗場９との対向端部に設けられた取付片２７と枢動片２６の上端部とが、長手が昇降路４の間口方向に沿って配置され長手が水平に配置されて水平枢着軸線を形成する上側ピン２８によって枢着される。
なお、免震建築体３上部の機械室に設置された巻上機２９に主索３０が巻掛けられ、主索３０の両端にそれぞれかご６、つり合おもり８が連結される。
【００２３】
また、基部建築体１における昇降路４のピットに緩衝器３１が立設され、かご６、つり合おもり８のそれぞれに対向して配置される。
そして、昇降路側乗場装置１４の下縁部に下側連結ピン３２からなる水平枢着軸線を介して昇降路側可動床面板３３の一側の縁部が枢着され、他側は建築体側乗場９の床面に重合して配置される。
【００２４】
また、建築体側乗場９の床の要部をなす建築体側可動床面板３４が設けられ、反昇降路４側の縁部が蝶番３５からなる水平枢着軸線を介して、建築体側乗場９の床に枢着される。そして、建築体側可動床面板３４の昇降路４側の縁部は昇降路側可動床面板３３と重合して配置される。また、建築体側乗場９に昇降路側乗場装置１４と対向する建築体側出入口枠３６が設けられる。
【００２５】
そして、昇降路側乗場装置１４の乗場枠１８上縁部と建築体側出入口枠３６の上縁部との間に、次に述べる可動天井面板３７が設けられる。すなわち、可動天井面板３７は昇降路４の奥行き方向に伸縮自在に構成され、短冊状の板体３８が長手を昇降路４の間口方向に沿って配置され、また昇降路４の奥行き方向に複数枚が配置され幅方向の縁部を互いに重合させて配置される。
【００２６】
そして、それぞれの板体３８は相互にパンタグラフ機構からなる連動機構３９によって係合されて可動天井面板３７の伸縮時に、昇降路４の奥行き方向に所定間隔を保って移動する。なお、連動機構３９は二本のリンクがＸ字形に相互に枢着され、そのＸ字形リンク体の枢着部が板体３８に枢着される。そして、二本のリンクの回動端がそれぞれ隣接した板体３８に設けられたＸ字形リンク体のリンクの回動端に枢着されて連動機構３９が構成される。
【００２７】
また、連動機構３９は可動天井面板３７の昇降路４の間口方向に互いに離れて二組が設けられる。そして、可動天井面板３７は建築体側出入口枠３６の上縁部に対してピンからなる水平枢着軸線を介して枢着され、また昇降路側乗場装置１４側の縁部は、詳細は後述するが昇降路側乗場装置１４の上縁部に対して水平枢着軸線を形成する枢着機構４０によって枢着される。
【００２８】
すなわち枢着機構４０は、昇降路側乗場装置１４の乗場枠１８上縁部から建築体側乗場９側へ突設された取付腕４１、可動天井面板３７における昇降路側乗場装置１４の乗場枠１８の縁部側に設けられて乗場枠１８上縁部の取付腕４１と重合して配置された取付板４２並びに取付腕４１及び取付板４２に設けられた水平に長い溝孔に挿通されたピン４３によって構成される。
【００２９】
そして、昇降路側乗場装置１４の乗場枠１８側縁部と建築体側出入口枠３６の側縁部との間に、次に述べる乗場出入口側板４４が設けられる。すなわち、乗場出入口側板４４は昇降路４の奥行き方向に伸縮自在に構成され、短冊状の板体４５が長手を鉛直方向に沿って配置され、また昇降路４の奥行き方向に複数枚が配置され幅方向の縁部を互いに重合させて配置される。
【００３０】
そして、それぞれの板体４５は相互に前述の連動機構３９と同様な連動機構４６によって係合されて乗場出入口側板４４の伸縮時に、昇降路４の奥行き方向に所定間隔を保って移動する。また、連動機構４６は乗場出入口側板４４の鉛直方向に互いに離れて二組が設けられる。
【００３１】
そして、乗場出入口側板４４の昇降路側乗場装置１４側の縁部は、昇降路側乗場装置１４の乗場枠１８側縁部にピン４７からなる鉛直枢着軸線を介して枢着される。また、乗場出入口側板４４の建築体側出入口枠３６側の縁部は、建築体側出入口枠３６の側縁部にピン４８からなる鉛直枢着軸線を介して枢着される。
【００３２】
上記のように構成された免震建物用エレベーター装置では、昇降路４の免震装置２対応箇所に設けられた建築体側乗場９の床面対応位置に下側レール保持枠１１が配置され、また下側レール保持枠１１が対向して設けられた建築体側乗場９における天井面の上方に対応した位置に上側レール保持枠１２が配置される。そして、立設されたかご用案内レール５及びつり合おもり用案内レール７が、昇降路４の免震装置２対応箇所において下側レール保持枠１１及び上側レール保持枠１２の内側に締結されて、水平方向においてそれぞれ所定位置に保持される。
【００３３】
また、下側レール保持枠１１及び上側レール保持枠１２の保持枠部材の間に昇降路側乗場装置１４が配置され、下縁部が下側レール保持枠１１に下側ピン１６による水平枢着軸線を介して枢着される。そして昇降路側乗場装置１４の上縁部は、上側レール保持枠１２に、摺動片２４による上下方向摺動機構及び摺動体２５による水平方向摺動機構によって変位可能に係合されると共に、上側ピン２８による水平枢着軸線を介して枢着される。
【００３４】
また、昇降路側乗場装置１４の下縁部に昇降路側可動床面板３３が、下側連結ピン３２による水平枢着軸線を介して枢着されて、回動端側が建築体側乗場９の床面に重合して配置される。そして、建築体側乗場９の床に建築体側可動床面板３４が、蝶番３５からなる水平枢着軸線を介して枢着されて、回動端側が昇降路側可動床面板３３と重合して配置される。
【００３５】
また、可動天井面板３７の一側が昇降路側乗場装置１４の乗場枠１８上縁部に枢着され、他側は建築体側出入口枠３６の上縁部に枢着されて、可動天井面板３７が乗場枠１８と建築体側出入口枠３６の上縁部相互間に設けられる。そして、乗場出入口側板４４が昇降路側乗場装置１４の乗場枠１８側縁部と建築体側出入口枠３６の側縁部との間に設けられる。
【００３６】
また、乗場出入口側板４４の一側は昇降路側乗場装置１４の乗場枠１８側縁部にピン４７からなる鉛直枢着軸線を介して枢着され、また他側は建築体側出入口枠３６の側縁部にピン４８からなる鉛直枢着軸線を介して枢着される。そして、建築体側出入口枠３６と昇降路側乗場装置１４の間に昇降路側可動床面板３３、建築体側可動床面板３４、可動天井面板３７及び両側の乗場出入口側板４４によって乗降通路が形成される。
【００３７】
このような構成の免震建物用エレベーター装置において、地震の無い通常時に免震建築体３が基部建築体１の直上位置に配置されて、基部建築体１及び免震建築体３それぞれの昇降路４は一つの鉛直線上に配置され、かご用案内レール５及びつり合おもり用案内レール７がそれぞれ鉛直に配置される。
【００３８】
そして、建築体側出入口枠３６と昇降路側乗場装置１４はそれぞれ鉛直姿勢に配置され、かつ互いに正対して配置される。また、下側レール保持枠１１、上側レール保持枠１２、昇降路側可動床面板３３及び建築体側可動床面板３４は水平姿勢に配置され、また乗場出入口側板４４は鉛直姿勢に配置される。これによって、地震の無い通常時には図１〜図７に示す状態に免震建物用エレベーター装置の昇降路４関連機器が配置される。
【００３９】
そして、地震が発生して昇降路４の奥行き方向の揺れが発生した場合に、免震装置２の機能によって免震建築体３が基部建築体１に対して昇降路４の奥行き方向に水平方向に変位する。このときには、かご用案内レール５及びつり合おもり用案内レール７がそれぞれ弾性変形し、また下側レール保持枠１１、上側レール保持枠１２は昇降路４の奥行き方向に変位する。
【００４０】
この状態で、昇降路側乗場装置１４は下縁部が下側ピン１６により下側レール保持枠１１側に、また上縁部が上側ピン２８により上側レール保持枠１２に枢持されているので、鉛直線に対して屈曲等の変形を伴うことなく傾斜する。また、昇降路側乗場装置１４は摺動片２４による上下方向摺動機構を介して上側レール保持枠１２に連結されているので、下側レール保持枠１１、上側レール保持枠１２の相互間隔の変化に対して屈曲等の変形を伴うことなく対応する。
【００４１】
そして、下側レール保持枠１１の昇降路４の奥行き方向に変位によって、昇降路側可動床面板３３及び建築体側可動床面板３４の両者は相互に摺動して変位する。また、昇降路側可動床面板３３が下側レール保持枠１２側に下側連結ピン３２によって枢着され、建築体側可動床面板３４は建築体側乗場９の床に蝶番３５によって枢着されている。このため、上記両者は下側レール保持枠１１の上下変位に対して枢動して屈曲等の変形を伴うことなく対応する。
【００４２】
また、可動天井面板３７は伸縮自在に構成されて一側が昇降路側乗場装置１４側に枢着され、他側は建築体側出入口枠３６側に枢着され、昇降路側乗場装置１４の乗場枠１８と建築体側出入口枠３６の上縁部相互間に設けられる。これにより、昇降路側乗場装置１４の傾斜に伴う乗場枠１８の上下変位に対して屈曲等の変形を伴うことなく変位する。
【００４３】
そして、乗場出入口側板４４は伸縮自在に構成されているので、昇降路側乗場装置１４の昇降路４の奥行き方向に変位に対して屈曲等の変形を伴うことなく対応する。これによって、地震が発生して昇降路４の奥行き方向に下側レール保持枠１１等が変位したときには図８、図９に示す状態となる。
【００４４】
また、地震が発生して昇降路４の間口方向の揺れが発生した場合には、免震装置２の機能によって免震建築体３が基部建築体１に対して昇降路４の間口方向に水平方向に変位する。そして、下側レール保持枠１１及び上側レール保持枠１２が昇降路４の間口方向に水平方向に変位する。また、昇降路側乗場装置１４は下縁部が下側レール保持枠１１側において昇降路４の間口方向に対しては固定的に装着される。
【００４５】
そして、昇降路側乗場装置１４は上縁部が上側レール保持枠１２に対して、摺動片２４による上下方向摺動機構及び摺動体２５による水平方向摺動機構によって係合されている。このため、昇降路側乗場装置１４は下側レール保持枠１１と共に、昇降路４の間口方向において屈曲等の変形を伴うことなく水平方向に変位する。また、下側レール保持枠１１、上側レール保持枠１２の双者が、昇降路４の間口方向に水平方向に相対変位したときの上記双者の相互位置の変化に対しても、昇降路側乗場装置１４は屈曲等の変形を伴うことなく対応する。
【００４６】
そして、下側レール保持枠１１の建築体側出入口枠３６に対する昇降路４の間口方向に変位によって、昇降路側可動床面板３３は下側レール保持枠１１と共に昇降路４の間口方向に変位する。また、このときに昇降路側可動床面板３３は建築体側可動床面板３４に対して摺動して屈曲等の変形を伴うことなく変位する。また、可動天井面板３７は伸縮自在に構成されているので、上側レール保持枠１２の昇降路４の間口方向に変位に対して屈曲等の変形を伴うことなく対応する。
【００４７】
また、乗場出入口側板４４は伸縮自在に構成されていて、一側が昇降路側乗場装置１４の乗場枠１８側縁部にピン４７からなる鉛直枢着軸線を介して枢着され、また他側は建築体側出入口枠３６の側縁部にピン４８からなる鉛直枢着軸線を介して枢着される。このため、下側レール保持枠１１と建築体側出入口枠３６の相互間に発生した昇降路４の間口方向変位に対して屈曲等の変形を伴うことなく対応する。これによって、地震が発生して昇降路４の奥行き方向に下側レール保持枠１１等が変位したときには図１０、図１１に示す状態となる。
【００４８】
以上説明したように、地震の発生時に免震装置２の機能によって免震建築体３が基部建築体１に対して揺動し水平方向に相対変位する。このときに、かご用案内レール５及びつり合おもり用案内レール７が揺動し弾性変形して傾斜し、下側レール保持枠１１及び上側レール保持枠１２の双者はそれぞれ図８等に示すように水平方向に変位する。そして、地震の発生時の上記双者に変位に対して、昇降路側乗場装置１４と建築体側出入口枠３６との間に乗降通路を構成する部材が屈曲等の変形を伴うことなく変位して対応する。
【００４９】
すなわち、昇降路側乗場装置１４、昇降路側可動床面板３３、建築体側可動床面板３４、可動天井面板３７及び両側の乗場出入口側板４４が、屈曲等の変形を伴うことなく変位して対応する。したがって、地震の発生時に昇降路側乗場装置１４等の関連部材に過大な負荷が作用したり、モーメントが発生したりすることがなく、昇降路側乗場装置１４等の乗降通路関連部材の構造を簡易化でき、また軽薄な材料によって製作することができて製作費を節減することができる。
【図面の簡単な説明】
【００５０】
【図１】この発明の実施の形態１を示す図で、免震建物用エレベーター装置を概念的に示す縦断面図。
【図２】図１の建築体側乗場の正面図。
【図３】図１のＡ部拡大図。
【図４】図３のＢ部拡大図。
【図５】図３における昇降路側乗場装置の右側面図。
【図６】図３のＣ−Ｃ線断面図。
【図７】図３の要部平面図。
【図８】図３において、レール保持枠が昇降路の奥行き方向に変位した状態を示す図。
【図９】図８の平面図。
【図１０】図５において、レール保持枠が昇降路の間口方向に変位した状態を示す図。
【図１１】図１０に対応する図６相当図。
【符号の説明】
【００５１】
１  基部建築体、２  免震装置、３  免震建築体、４  昇降路、５  かご用案内レール、６  かご、７  つり合おもり用案内レール、８  つり合おもり、９  建築体側乗場、１１  下側レール保持枠、１２  上側レール保持枠、１４  昇降路側乗場装置、１６  下側ピン（水平枢着軸線）、１７  乗場出入口、１８  乗場枠、２０  乗場の戸、２４  摺動片（上下方向摺動機構）、２５  摺動体（水平方向摺動機構）、２８  上側ピン（水平枢着軸線）、３２  下側連結ピン（水平枢着軸線）、３３  昇降路側可動床面板、３４  建築体側可動床面板、３５  蝶番（水平枢着軸線）、３７  可動天井面板、３８  板体、３９  連動機構、４０  枢着機構（水平枢着軸線）、４４  乗場出入口側板、４５  板体、４６  連動機構、４７  ピン（鉛直枢着軸線）、４８  ピン（鉛直枢着軸線）。
【図１】
2005298133.tif 000003
【図２】
2005298133.tif 000004
【図３】
2005298133.tif 000005
【図４】
2005298133.tif 000006
【図５】
2005298133.tif 000007
【図６】
2005298133.tif 000008
【図７】
2005298133.tif 000009
【図８】
2005298133.tif 000010
【図９】
2005298133.tif 000011
【図１０】
2005298133.tif 000012
【図１１】
2005298133.tif 000013